(57)【要約】【課題】本発明は、送風ファンによる送風を妨げずにリアクタを冷却できる除湿機を提供することを目的とする。【解決手段】本発明に係る除湿機は、上面及び下面のいずれでもない面に形成された吸込口５を有し、上面に形成された吹出口４を有し、内部に吸込口５から吹出口４に至る主風路が形成された筐体１と、筐体１の内部に設けられた送風モータ１１と、吸込口５の方向に一側を向けて配置され、他側が送風モータ１１に取り付けられ、吹出口４に向かって空気を送る送風ファン１７と、送風モータ１１の周囲を経て吹出口４に至る副風路に設けられたリアクタ１０と、を備えたものである。【選択図】図８
2016077951.tif 000002
【特許請求の範囲】
【請求項１】
上面及び下面のいずれでもない面に形成された吸込口を有し、前記上面に形成された吹出口を有し、内部に前記吸込口から前記吹出口に至る主風路が形成された筐体と、
前記筐体の内部に設けられた送風モータと、
前記吸込口の方向に一側を向けて配置され、他側が前記送風モータに取り付けられ、前記吹出口に向かって空気を送る送風ファンと、
前記送風モータの周囲を経て前記吹出口に至る副風路に設けられたリアクタと、
を備えた除湿機。
【請求項２】
前記送風モータ及び前記リアクタの周囲に設けられ、前記副風路を形成する副風路形成部材を備え、
前記送風モータは、前記筐体の内部において、前記副風路形成部材の内側の空間から前記送風ファンの前記他側に通じる隙間が形成されるように配置された請求項１に記載の除湿機。
【請求項３】
前記副風路に設けられ、前記リアクタを覆うリアクタカバーを備え、
前記副風路形成部材は、前記リアクタカバーの一部を覆わない請求項２に記載の除湿機。
【請求項４】
交流電源に接続されるＡＣ電源線が接続された基板を備え、
前記リアクタは、前記送風モータと隣接して配置され、
前記基板は、前記送風モータ及び前記リアクタの双方と隣接して配置され、
前記副風路形成部材は、前記基板と隣接する部位に形成された開口部を有する請求項２又は３に記載の除湿機。
【発明の詳細な説明】
【技術分野】
【０００１】
本発明は、除湿機に関するものである。
【背景技術】
【０００２】
下記特許文献１には、送風ファン及びリアクタを備えた空気調和機の室外ユニットが記載されている。リアクタは、室外ユニットの内部に形成された風路に配置されている。リアクタは、送風ファンから送られる空気によって冷却される。
【先行技術文献】
【特許文献】
【０００３】
【特許文献１】特開平５−２４０４６６号公報
【発明の概要】
【発明が解決しようとする課題】
【０００４】
特許文献１の記載のようにしてリアクタが風路に配置された場合、送風ファンによる送風が妨げられる。一方、リアクタが当該風路に配置されない場合、リアクタを冷却することができない。リアクタを備えた除湿機においても、同様の課題が存在する。
【０００５】
本発明は、上記の課題を解決するためになされた。その目的は、送風ファンによる送風を妨げずにリアクタを冷却できる除湿機を提供することである。
【課題を解決するための手段】
【０００６】
本発明に係る除湿機は、上面及び下面のいずれでもない面に形成された吸込口を有し、上面に形成された吹出口を有し、内部に吸込口から吹出口に至る主風路が形成された筐体と、筐体の内部に設けられた送風モータと、吸込口の方向に一側を向けて配置され、他側が送風モータに取り付けられ、吹出口に向かって空気を送る送風ファンと、送風モータの周囲を経て吹出口に至る副風路に設けられたリアクタと、を備えたものである。
【発明の効果】
【０００７】
本発明において、リアクタは、副風路に設けられている。このため、本発明によれば、除湿機において、送風ファンによる送風を妨げずにリアクタを冷却することができる。
【図面の簡単な説明】
【０００８】
【図１】本発明の実施の形態１における除湿機の外観を示す斜視図である。
【図２】本発明の実施の形態１における除湿機の外観を示す側面図である。
【図３】本発明の実施の形態１における除湿機の内部構造を示す斜視図である。
【図４】本発明の実施の形態１における除湿機の内部構造を示す第１の前面図である。
【図５】本発明の実施の形態１における除湿機の内部構造を示す第１の拡大図である。
【図６】本発明の実施の形態１における除湿機の内部構造を示す第２の拡大図である。
【図７】本発明の実施の形態１における除湿機の垂直断面図である。
【図８】本発明の実施の形態１における除湿機の内部構造を示す第２の前面図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における除湿機の外観を示す斜視図である。図１は、除湿機の概ね前面側から見た外観を示している。
【００１１】
図１に示すように、除湿機は、筐体１を備えている。筐体１は、前面と上面との間に傾斜面を有している。当該傾斜面には、操作部２が設けられている。操作部２は、複数のスイッチ及び表示部３を備えている。当該複数のスイッチには、例えば、電源スイッチ等が含まれている。表示部３は、例えば、液晶ディスプレイ等である。筐体１の上面には、開閉可能な吹出口４が形成されている。吹出口４には、図示しないルーバーが設けられている。
【００１２】
図２は、実施の形態１における除湿機の外観を示す側面図である。図２は、除湿機の前面側から見て右側の側面を示している。
【００１３】
図２に示すように、筐体１の背面には、吸込口５が形成されている。吸込口５は、筐体１の背面の上部に形成されている。吸込口５は、筐体１の背面の下部には形成されていない。吸込口５は、例えば、筐体１の背面のうち、上半分の範囲内に形成されている。
【００１４】
図３は、実施の形態１における除湿機の内部構造を示す斜視図である。図３は、筐体１が取り外された状態の除湿機の前面及び前面側から見て右側の側面を主に示している。
【００１５】
図３に示すように、除湿機は、熱交換器６を備えている。また、除湿機は、図示しない圧縮機を備えている。圧縮機は、除湿機の背面側の下部に設けられている。熱交換器６は、除湿機の背面側において、圧縮機よりも上方に設けられている。
【００１６】
図３に示すように、除湿機は、筐体１の内部に、ＡＣ電源線７、電源基板８、制御基板９、リアクタ１０及び送風モータ１１を備えている。電源基板８、制御基板９、リアクタ１０及び送風モータ１１は、除湿機の前面側に設けられている。なお、図３は、リアクタ１０及び送風モータ１１を露出させた状態を示している。
【００１７】
図３に示すように、ＡＣ電源線７の一端は、電源基板８に接続されている。ＡＣ電源線７の他端は、図示しない電源プラグに接続されている。電源プラグは、図示しない交流電源に接続される。ＡＣ電源線７は、除湿機の前面側から見て右側の側面に沿って配線されている。右側の側面に沿っているＡＣ電源線７は、前面付近までは、除湿機の下端付近の高さに配線されている。右側の側面に沿っているＡＣ電源線７は、前面付近からは、上方へ延びるようにして電源基板８まで配線されている。
【００１８】
電源基板８には、リアクタ１０が接続されている。制御基板９は、電源基板８と接続されている。制御基板９には、圧縮機及び送風モータ１１が接続されている。
【００１９】
電源プラグが交流電源に接続されると、電源基板８に交流電圧が供給される。電源基板８には、例えば、コンバータ回路が形成されている。コンバータ回路は、交流電源から供給された交流電圧を直流電圧に変換する。リアクタ１０は、直流電圧を昇圧する。
【００２０】
制御基板９には、例えば、インバータ回路が形成されている。インバータ回路は、コンバータ回路によって出力された直流電圧を交流電圧に変換する。インバータ回路は、圧縮機及び送風モータ１１等に交流電圧を供給する。インバータ回路は、例えば、操作部２及び図示しない温湿度センサ等からの信号に基づいて、圧縮機及び送風モータ１１等に供給する交流電圧の周波数を多段階に変化させる。圧縮機は、インバータ回路から交流電圧が供給されることにより駆動される。圧縮機の出力は、供給される交流電圧の周波数に応じて多段階に変化する。つまり、インバータ回路を備える制御基板９は、圧縮機の出力を可変制御する。
【００２１】
図４は、実施の形態１における除湿機の内部構造を示す第１の前面図である。図４は、筐体１が取り外された状態の除湿機の前面を示している。図４は、リアクタ１０及び送風モータ１１を露出させた状態を示している。
【００２２】
図４に示すように、除湿機の前面側から見て、制御基板９は、電源基板８の左側に配置されている。送風モータ１１は、電源基板８の上側に配置されている。送風モータ１１は、制御基板９の右側に配置されている。リアクタ１０は、電源基板８の上側に配置されている。リアクタ１０は、送風モータ１１の右側に配置されている。リアクタ１０は、送風モータ１１と同程度の高さに配置されている。つまり、除湿機の前面側から見て、制御基板９は、電源基板８及び送風モータ１１の双方と隣接して配置されている。リアクタ１０は、送風モータ１１と隣接して配置されている。電源基板８は、送風モータ１１及びリアクタ１０の双方と隣接して配置されている。
【００２３】
図５は、実施の形態１における除湿機の内部構造を示す第１の拡大図である。図５は、除湿機の前面側から見たリアクタ１０及び送風モータ１１を露出させた状態を示している。
【００２４】
図５に示すように、リアクタ１０及び送風モータ１１は、筐体１内の構造体の前側に取り付けられている。除湿機の前面側から見て、送風モータ１１と当該構造体との間には、複数の隙間１２が形成されている。複数の隙間１２は、例えば、除湿機の前面側から見て、円形状の送風モータ１１の周縁に沿って等間隔に形成されている。筐体１の内部における前面側の空間は、隙間１２を介して背面側の空間に通じている。つまり、送風モータ１１の周囲の空間は、隙間１２を介して当該構造体の裏側に通じている。
【００２５】
図６は、実施の形態１における除湿機の内部構造を示す第２の拡大図である。図６は、除湿機の前面側から見たリアクタ１０及び送風モータ１１の通常の状態を示している。
【００２６】
図６に示すように、除湿機は、リアクタカバー１３を備えている。リアクタカバー１３は、例えば、箱状に形成されている。リアクタカバー１３は、リアクタ１０を覆うように取り付けられている。リアクタカバー１３は、リアクタ１０の上下左右及び前面を覆っている。つまり、リアクタ１０は、リアクタカバー１３の内部に配置されている。リアクタカバー１３は、例えば、防水性、防火性及び放熱性の高い材質で形成されている。リアクタカバー１３は、例えば、アルミニウム等で形成されている。さらに、リアクタカバー１３に伝熱シートを貼り付けることで放熱を促進してもよい。
【００２７】
図６に示すように、除湿機は、副風路形成部材１４を備えている。副風路形成部材１４は、リアクタ１０及び送風モータ１１の周囲に設けられており、後述する「副風路」を形成する。副風路形成部材１４は、リアクタ周辺部１５及びモータ周辺部１６を備えている。モータ周辺部１６は、リアクタ周辺部１５の左側に位置している。リアクタ周辺部１５及びモータ周辺部１６は、例えば、一体に形成されている。副風路形成部材１４は、例えば、合成樹脂等の材質で形成されている。
【００２８】
リアクタ周辺部１５は、リアクタ１０を覆ったリアクタカバー１３の周囲に設けられている。リアクタ周辺部１５は、例えば、密閉されない箱状に形成されている。リアクタ周辺部１５の前面には、開口部が形成されている。リアクタカバー１３の前面は、当該開口部から露出している。このように、副風路形成部材１４の一部であるリアクタ周辺部１５は、リアクタカバー１３の前面を覆わない構成となっている。つまり、副風路形成部材１４は、リアクタカバー１３の一部を覆わない構成となっている。当該開口部は、例えば、リアクタカバー１３の前面と同じ大きさ及び同じ形状に形成されている。リアクタ周辺部１５は、リアクタカバー１３の上面及び下面を覆っている。リアクタ周辺部１５の上面と、リアクタカバー１３の上面との間には、空間が形成されている。リアクタ周辺部１５の下面と、リアクタカバー１３の下面との間には、空間が形成されている。つまり、リアクタ周辺部１５の内側において、リアクタカバー１３の上下には空間が存在する。リアクタ周辺部１５は、例えば、除湿機の前面側から見て右側の部分が開口して形成されている。つまり、リアクタ周辺部１５の内側におけるリアクタカバー１３の上下の空間は、除湿機の前面側から見たリアクタカバー１３の右側の空間と通じている。
【００２９】
モータ周辺部１６は、送風モータ１１の周囲に設けられている。モータ周辺部１６は、例えば、除湿機の前面側から見て円形状に形成されている。モータ周辺部１６は、例えば、半球状又は円柱状に形成されている。モータ周辺部１６は、送風モータ１１を前面側から覆うように設けられている。つまり、送風モータ１１の前面側の部分は、モータ周辺部１６の内側に配置されている。モータ周辺部１６は、リアクタ周辺部１５の左側に位置している。モータ周辺部１６は、リアクタ周辺部１５と連続している。モータ周辺部１６の内側の空間は、リアクタ周辺部１５の内側におけるリアクタカバー１３の上下の空間と通じている。モータ周辺部１６の下部には、基板側開口部１６ａが形成されている。つまり、モータ周辺部１６には、電源基板８と隣接する部位に開口部が形成されている。モータ周辺部１６の内側の空間は、基板側開口部１６ａを介して、電源基板８の周囲の空間と通じている。
【００３０】
図７は、実施の形態１における除湿機の垂直断面図である。図７は、除湿機の右側から見た断面を示している。
【００３１】
図７に示すように、除湿機は、熱交換器６として凝縮器６ａ及び蒸発器６ｂを備えている。凝縮器６ａ及び蒸発器６ｂは、圧縮機の上方に配置されている。凝縮器６ａ及び蒸発器６ｂは、前後方向に並んで配置されている。蒸発器６ｂは、凝縮器６ａよりも背面側に配置されている。また、除湿機は、図示しない減圧装置を備えている。
【００３２】
圧縮機、凝縮器６ａ、減圧装置及び蒸発器６ｂは、配管によって順に接続されている。配管には、冷媒が充填されている。圧縮機、凝縮器６ａ、減圧装置及び蒸発器６ｂにより、除湿機の冷媒回路が構成されている。冷媒は、圧縮機が駆動されることにより冷媒回路を循環する。
【００３３】
圧縮機は、冷媒を圧縮する。凝縮器６ａは、圧縮機で圧縮された冷媒を冷却する。減圧装置は、凝縮器６ａで冷却された冷媒を減圧膨張させる。蒸発器６ｂは、減圧装置で減圧膨張された冷媒への吸熱を行う。
【００３４】
図７に示すように、筐体１の内部には、送風ファン１７が設けられている。送風ファン１７は、吹出口４の下方に配置されている。送風ファン１７は、凝縮器６ａよりも前面側に配置されている。送風ファン１７は、吸込口５及び熱交換器６のある方向に一側を向けて配置されている。送風ファン１７の他側は、送風モータ１１に取り付けられている。
【００３５】
送風ファン１７は、吸込口５に向けられた一側から空気を吸い込み、上方の吹出口４に向かって空気を送る。つまり、送風ファン１７は、吸込口５から吹出口４へ至る空気の流れを発生させる。図７において、吸込口５から吹出口４へ至る空気の流れは、破線の矢印で示されている。
【００３６】
送風モータ１１が駆動すると、送風ファン１７が回転する。送風ファン１７が回転すると、吸込口５から筐体１の内部に空気が吸い込まれる。例えば、除湿機が設置された室内の空気が吸込口５から筐体１の内部に吸い込まれる。吸込口５から吸い込まれた空気は、蒸発器６ｂを通過する。当該空気に含まれる水分は、蒸発器６ｂで結露することで除去される。蒸発器６ｂで結露した水分は、図示しない貯水タンクに貯留される。蒸発器６ｂで水分が除去された乾燥空気は、凝縮器６ａを通過する。凝縮器６ａを通過した乾燥空気は、送風ファン１７の一側から吸い込まれる。送風ファン１７の一側から吸い込まれた乾燥空気は、上方へ送られ、吹出口４から筐体１の外部に放出される。
【００３７】
このように、筐体１の内部には、吸込口５から蒸発器６ｂ、凝縮器６ａ及び送風ファン１７を経て吹出口４に至る「主風路」が形成されている。「主風路」において、蒸発器６ｂは、凝縮器６ａよりも上流に配置されている。「主風路」を通過する空気は、蒸発器６ｂで水分が除去されることで除湿される。
【００３８】
回転している送風ファン１７は、送風モータ１１に取り付けられた他側からも空気を吸い込み、上方の吹出口４に向かって空気を送る。つまり、送風ファン１７は、送風モータ１１の周囲を経て、隙間１２を通って吹出口４へ至る空気の流れを発生させる。この空気の流れは、例えば、「主風路」における空気の流れに伴って副次的に発生するものである。図７において、送風モータ１１の周囲を経て吹出口４へ至る空気の流れは、実線の矢印で示されている。
【００３９】
図８は、実施の形態１における除湿機の内部構造を示す第２の前面図である。図８は、筐体１が取り外された状態の除湿機の前面を示している。図８は、リアクタ１０及び送風モータ１１の周囲に副風路形成部材１４が取り付けられた状態を示している。図８において、送風モータ１１の周囲を経て吹出口４へ至る空気の流れは、実線の矢印で示されている。
【００４０】
図８に示すように、送風モータ１１の周囲を経て吹出口４へ至る空気の流れが発生すると、リアクタ周辺部１５の内側におけるリアクタカバー１３の上下の空気は、モータ周辺部１６の内側に吸い込まれる。また、図７及び図８に示すように、電源基板８の周囲の空気は、基板側開口部１６ａを通ってモータ周辺部１６の内側に吸い込まれる。リアクタカバー１３の右側の空気は、リアクタ周辺部１５の内側におけるリアクタカバー１３の上下の空間に吸い込まれる。リアクタカバー１３の右側の空間には、例えば、吸込口５から筐体１の内部に吸い込まれた空気の一部が、除湿機の背面側から回り込むように移動してくる。
【００４１】
このように、筐体１の内部には、リアクタカバー１３の右側から、リアクタ周辺部１５の内側、モータ周辺部１６の内側、送風モータ１１の周囲、隙間１２及び送風ファン１７を経て吹出口４に至る「副風路」が形成されている。つまり、リアクタ１０は、「副風路」に設けられている。リアクタ１０は、「副風路」において、送風モータ１１よりも上流に配置されている。「副風路」における風量は、「主風路」における風量よりも小さい。
【００４２】
実施の形態１における筐体１の内部には、吸込口５から吹出口４に至る「主風路」及び送風モータ１１の周囲を経て吹出口４に至る「副風路」が形成されている。リアクタ１０は、「主風路」に設けられておらず、「副風路」に設けられている。このため、リアクタ１０は、「副風路」を通過する空気によって冷却される。その結果、除湿機において、送風ファン１７による「主風路」への送風を妨げずにリアクタ１０を冷却することができる。
【００４３】
実施の形態１において、除湿機は、送風モータ１１及びリアクタ１０の周囲に設けられ、「副風路」を形成する副風路形成部材１４を備えている。送風モータ１１は、筐体１の内部において、副風路形成部材１４の内側の空間から送風ファン１７の他側に通じる隙間１２が形成されるように配置されている。このため、除湿機の前面側において、副風路形成部材１４により、隙間１２へ向かう空気の流れが集中される。これにより、空気がリアクタ１０の周囲を集中的に流れる。その結果、除湿機において、送風ファン１７による送風を妨げずに、リアクタ１０を効率よく冷却することができる。
【００４４】
実施の形態１において、除湿機は、「副風路」に設けられ、リアクタ１０を覆うリアクタカバー１３を備えている。このため、リアクタ１０は、リアクタカバー１３によって水濡れ及び引火等から保護される。副風路形成部材１４は、リアクタカバー１３の一部を覆っていない。このため、リアクタ１０から放出された熱は、リアクタカバー１３の表面のうち副風路形成部材１４に覆われていない部分を介して、リアクタカバー１３の外部に放出される。その結果、除湿機において、リアクタ１０を保護しつつ効率よく冷却することができる。
【００４５】
実施の形態１において、除湿機は、交流電源に接続されるＡＣ電源線７が接続された電源基板８を備えている。リアクタ１０は、送風モータ１１と隣接して配置されている。電源基板８は、送風モータ１１及びリアクタ１０の双方と隣接して配置されている。このため、電源基板８からリアクタ１０への配線が複雑になることを抑制できる。副風路形成部材１４のリアクタ周辺部１５は、電源基板８と隣接する部位に形成された基板側開口部１６ａを有している。このため、電源基板８の周囲には、基板側開口部１６ａに向かう空気の流れが生じる。その結果、除湿機において、リアクタ１０だけでなく電源基板８も冷却することができる。
【００４６】
本発明において、吸込口５は、筐体１の上面及び下面のいずれでもない面に形成されていればよい。吸込口５は、例えば、筐体１の左右どちらかの側面に形成されてもよい。この場合であっても、送風ファン１７が吸込口５及び熱交換器６のある方向に一側を向けて配置されていれば、「主風路」を形成することができる。
【００４７】
本発明において、電源基板８、制御基板９、送風モータ１１及びリアクタ１０の左右方向における位置関係は、実施の形態１の説明とは逆であってもよい。つまり、除湿機の前面側から見て、電源基板８の右側に制御基板９が配置され、制御基板９の左側に送風モータ１１が配置され、送風モータ１１の左側にリアクタ１０が配置されてもよい。この場合であっても、モータ周辺部１６がリアクタ周辺部１５の右側に位置する向きで副風路形成部材１４を取り付ければ、「副風路」を形成することができる。
【００４８】
本発明において、リアクタ周辺部１５及びモータ周辺部１６は、別個に形成されてもよい。この場合であっても、リアクタ周辺部１５とモータ周辺部１６とが隙間なく連結されていれば、「副風路」を形成することができる。
【符号の説明】
【００４９】
１  筐体、２  操作部、３  表示部、４  吹出口、５  吸込口、６  熱交換器、６ａ  凝縮器、６ｂ  蒸発器、７  ＡＣ電源線、８  電源基板、９  制御基板、１０  リアクタ、１１  送風モータ、１２  隙間、１３  リアクタカバー、１４  副風路形成部材、１５  リアクタ周辺部、１６  モータ周辺部、１６ａ  基板側開口部、１７  送風ファン
【図１】
2016077951.tif 000003
【図２】
2016077951.tif 000004
【図３】
2016077951.tif 000005
【図４】
2016077951.tif 000006
【図５】
2016077951.tif 000007
【図６】
2016077951.tif 000008
【図７】
2016077951.tif 000009
【図８】
2016077951.tif 000010